(57)【要約】【課題】効果的な緩み止め効果を発揮するクロスボルト用のナット部材を提供する。【解決手段】雌ねじを刻設した六角ナットを設けるとともに、該雌ねじ下部に雌ねじより大径の環状溝による嵌入溝を形成してなる嵌合ナット凹型を設け、一方、雌ねじを刻設してなる六角ナットを設けるとともに、該ナット上部に嵌入部を設けてなる嵌合ナット凸型を設け、以上の嵌合ナット凹型と嵌合ナット凸型との組み合わせよりなることを特徴とする。【選択図】図７
2014199131.tif 000002
【特許請求の範囲】
【請求項１】
雌ねじを刻設した六角ナットを設けるとともに、該雌ねじ下部に雌ねじより大径の環状溝による嵌入溝を形成してなる嵌合ナット凹型を設け、一方、雌ねじを刻設してなる六角ナットを設けるとともに、該ナット上部に嵌入部を設けてなる嵌合ナット凸型を設け、以上の嵌合ナット凹型と嵌合ナット凸型との組み合わせよりなることを特徴とするクロスボルト緩み止め組み合わせ嵌合ナット部材。
【請求項２】
嵌入部にスリット部を設けて複数分割としてなる請求項１記載のクロスボルト緩み止め組み合わせ嵌合ナット部材。
【請求項３】
嵌入部外周面を曲面としてなる請求項１または２記載のクロスボルト緩み止め組み合わせ嵌合ナット部材。
【発明の詳細な説明】
【技術分野】
【０００１】  この発明は、２個のナットを主要部材として組み合わせて用いることにより、各ナットの緩みを防止する機能を有するクロスボルト用のナット部材に関する。
【背景技術】
【０００２】  従来より、ナットの緩みを防止するための種々の手段が利用されているが、本案にて示すように、互いに逆ねじとなるナットを用いるとともに、ナット相互間の嵌合手段を設けることにより、ナットの緩みを防止する手段は見あたらない。
【発明の概要】
【発明が解決しようとする課題】
【０００３】  ナットは物品固定用部品として多方面に用いられている。ナットを締め込んだ後のナット緩みを防ぐために種々の手段があり、スプリングワッシャやダブルナットなどが一般的に多用されている。ナットの緩む原因としては、接触部凹凸の平坦化、座面部の塑性変形、軸直角方向繰り返し外力による緩みなどいくつもの要因がある。これらの原因による緩み防止のために上述のような手段があり、とりわけダブルナット方式が多用されている。
これは、一つの雄ねじに対して２個のナットを用い、互いのナット間の押圧摩擦にて緩みを防止するものであるが、振動の多い場所ではこのダブルナットにても緩みの完全防止は得られず、根本的な解決手段が見あたらないのが現状である。
本案は、以上のような従来からのナット緩み防止手段に関わる課題を解決するために発明されたもので、シンプルな構成にて上述の目的を達することのできる新規かつ有用なる手段を提供することを目的としたものである。
【課題を解決するための手段】
【０００４】  課題を解決する手段として本発明は以下の構成とした。
すなわち、雌ねじを刻設した六角ナットを設けるとともに、該雌ねじ下部に雌ねじより大径の環状溝による嵌入溝を形成してなる嵌合ナット凹型を設け、一方、雌ねじを刻設してなる六角ナットを設けるとともに、該ナット上部に嵌入部を設けてなる嵌合ナット凸型を設け、以上の嵌合ナット凹型と嵌合ナット凸型とを組み合わせる。
本発明は以上の構成よりなるクロスボルト緩み止め組み合わせ嵌合ナット部材である。
【発明の効果】
【０００５】  本発明は以下の効果を揺する。
１．ナットを上下に嵌入することにて、双方のナットの上下間距離を一定に保つことがで  きるので、クロスボルト、クロスナット、標準ナットを各々併用することにて、ナット  のボルトに対する緩み止め効果を得ることができる。
２．ナットを嵌入溝に膨大部を嵌入する方式のため、一度嵌入したナットの相互分離を防  止することができる。
３．クロスボルトによる右ねじと左ねじを用いた緩み止め方式のため、単一ねじ方式に比  べてより大なる緩み止め効果を得ることができる。
【図面の簡単な説明】
【０００６】
【図１】本発明の嵌合ナット凹型の平面図
【図２】本発明のＡ−Ａ断面図
【図３】本発明の嵌合ナット凸型の平面図
【図４】本発明の嵌合ナット凸型の正面図
【図５】本発明のＢ−Ｂ断面図
【図６】本発明のクロスナット部材の組み合わせ説明図
【図７】本発明のクロスナット部材の組み合わせ説明図
【図８】本発明のクロスナット部材の組み合わせ説明図
【図９】本発明のクロスナット部材の組み合わせ説明図
【発明を実施するための最良の形態】
【０００７】  以下、本発明の実施形態について説明する。
図において、１は嵌合ナット凹型で、六角ナットの外形を有するとともに、左雌ねじ２が刻設されている。この左雌ねじ下部には嵌入溝３が設けられる。この嵌入溝は左雌ねじより大径の環状凹部よりなる大径部４の下方に、大径部よりやや小径の小径部５が設けられている。６は嵌合ナット凸型で、嵌合ナット凹型と同サイズの六角ナット外形を有するナットで、右雌ねじ７が刻設されている。該ナットの上面には嵌入凸部８が設けられる。この嵌入凸部は、３個のスリット９により、平面視にて三分割されている。
各嵌入凸部は、正面視における円弧状曲面の膨大部１０と、この膨大部よりやや小径にてその下方に連続する基部１１により形成される。
前記の嵌入溝と嵌入凸部は対応関係にあり、嵌入溝大径部内に嵌入部が嵌入されるものである。従って、大径部上下寸法に比べ膨大部上下寸法はわずかに小さく、膨大部最大径部寸法は大径部内径寸法よりわずかに小さく設けられる。
この双方のクロスナットは図６にて示すように、押圧にて嵌入されるが、これは押圧時に膨大部が歪んで変形することによりなされ、嵌入後は膨大部がその弾性にて元の形に復帰して、双方のナットは相互に回動可能でありながら上下に離れることはない関係となる。なお、嵌入時の歪みを助長するために、スリット部を設けており、既述例では３個としたが、より多数分割として４個以上に設けてもよい。【０００８】  本発明ナットの実際の使用に際しては、図７にて示すように、クロスボルト２０，クロスナット３０、標準ナット４０を各々用いることとなる。
クロスボルトは右雄ねじ２１を刻設した上に左雄ねじ２２を刻設したものであり、互いのねじピッチおよびねじ傾斜角は異なっている。クロスナット３０は、一般ナットと同じく六角形状であって左雌ねじが貫通して刻設されており、この左雌ねじは前記のクロスボルトに螺合する。このクロスナット下部には下延ねじ部３１が設けられて左雄ねじが刻設されており、この左雄ねじは前記の嵌合ナット凹型の雌ねじに螺合する。
標準ナット４０は、一般ナットと同じく六角形状であって、右雌ねじが貫通して刻設されており、この右雌ねじは前記クロスボルトに螺合する。この標準ナット上部には上延ねじ部４１が設けられて右雄ねじが刻設されており、この右雄ねじは前記の嵌合ナット凸型の雌ねじに螺合する。【０００９】  本発明の使用に際しては、まず標準ナットをクロスボルトに螺合させる。次に嵌合ナット凸型を標準ナットの上延ねじ部に螺合させ締め込む。これにて標準ナットと嵌合ナット凸型は一体化する。次に嵌合ナット凸型に嵌合ナット凹型を押圧嵌入する。
この嵌入にて嵌入凸部は嵌入溝に嵌入する。すなわち、膨大部が大径部内に入り込む。
押圧前には膨大部外径は小径部内径より少し大径であるが、押圧にてこの膨大部は弾性変形して小径部をくぐり抜けて大径部に到達し、圧力から解放されてその弾性にて復元され、元の形状へと戻り、大径部からの脱落は阻止される。また、嵌入凸部はスリットにて分割されているので、この押圧変形は助長される。
そしてこのクロスボルト凹型の上からクロスナットを回し入れて、下延ねじ部は嵌合ナット凹型に螺合し、締め込んでクロスナットと嵌合ナット凹型は一体化する。
以上にて、４個の部品がクロスボルトを介して一体化的に位置することとなる。
この状態が図７である。【００１０】  図の状態において、クロスナットは左ねじにてクロスボルトに螺合し、標準ナットは右ねじにてクロスボルトに螺合している。また、これらのナットは嵌合ナット凹型と同凸型を介して緊密な関係にある。今、クロスナットもしくは標準ナットのいずれかがクロスボルトに対して緩もうとした場合、クロスボルト軸芯方向の距離変化が発生しようとするが、嵌合ナット凹型および凸型は互いに回動可能でありながら上下方向は緊密に関係づけられているために、この距離変化は阻止され、従ってこれらのナットの緩みが防止される。クロスナットと嵌合ナット凹型は締め込まれた螺合状態にあり、これら双方が互いに緩もうとしたときは、一方のナットを押さえて他方のナットを回さなければならないが、これは人為的に行わねば発生しない状況のために、自然に緩むことはない。これは標準ナットと嵌合ナット凸型の関係においても同様である。
また、嵌合ナット凹型と凸型は相互に回動可能関係にあるので、クロスナットと標準ナットが直に影響し合うことがない。以上により、クロスボルトに対する標準ナットの緩みを防止する効果的な手段を得ることが可能となる。【００１１】  以上、本発明について記したが、本発明は右ねじナットによる標準ナットと左ねじナットによるクロスナットを、嵌合ナット凹型と凸型を介して関係づけて用いるところにその特徴を有するものである。従来は、クロス雄ねじを用いない手段が利用されており、根本的な解決は難しかったが、本発明にてこれが可能となったのである。
なお、本発明は右ねじの標準ナットに対して左ねじのクロスナットを、嵌合ナット凹型と凸型を介して重ねて用いるが、右ねじナットのピッチは左ねじナットのピッチに比べて小さい。これは、まず右ねじナットにて固定対象物を強固に押圧固定し、左ねじナットを締め込んで双方のナットを一体化的にするためにピッチを変えて設けたのである。
以上記したように、本発明はクロス雄ねじを利用し、互いに逆ねじとなるナットを用いる方式のために、ナット締め込みによる双方ナットの固定にて各ナットの緩みを防止することができる。なお、ナット材質は、金属、合成樹脂などにて適度の弾性と剛性を有するものが望ましい。
以上のごとく、本発明によって緩み止め効果大なるナット部材を得ることができる。
【符号の説明】
【００１２】１    嵌合ナット凹型
２    左雌ねじ
３    嵌入溝
４    大径部
５    小径部
６    嵌合ナット凸型
７    右雌ねじ
８    嵌入凸部
９    膨大部
１０  基部
２０  クロスボルト
２１  右雄ねじ
２２  左雄ねじ
３０  クロスナット
３１  下延ねじ部
４０  標準ナット
４１  上延ねじ部
【図１】
2014199131.tif 000003
【図２】
2014199131.tif 000004
【図３】
2014199131.tif 000005
【図４】
2014199131.tif 000006
【図５】
2014199131.tif 000007
【図６】
2014199131.tif 000008
【図７】
2014199131.tif 000009
【図８】
2014199131.tif 000010
【図９】
2014199131.tif 000011